(57)【要約】【課題】  建物の外壁や内壁にそれら壁の断熱性を損なうことなく配設する上で有利な採光装置および採光装置構成用部材を提供する。【解決手段】  外光は、各集光レンズ１４で採光されることでそれぞれの筒状部材１８の内部に導かれ、反射膜２０によって反射されつつ複数の透明フィルム２２を通過して筒状部材１８の下端に進行し、反射鏡１６で反射され建物２の内部に導かれ、外光が照らされない状況となっている建物２の北に面した階（空間、部屋）に外光を取り入ることが可能となる。また、筒状部材１８の内部に透明フィルム２２により空気の対流が阻止された内部空間１８Ａが形成されているため、筒状部材１８は断熱作用を発揮し、したがって、筒状部材１８は外光を導く導光路として機能するとともに、グラスウール、ウレタンフォームなどとともに断熱材４００６としても機能する。【選択図】図２
2007311033.tif 000002
【特許請求の範囲】
【請求項１】
筒状部材と、
前記筒状部材の内面の全域に設けられた反射膜と、
前記筒状部材の延在方向に間隔をおいた複数箇所に前記筒状部材の延在方向と交差する方向に張設され前記筒状部材の内部空間を仕切る透明フィルムと、
前記筒状部材の上端を閉塞し外光を前記筒状部材の内部に導く集光レンズと、
前記筒状部材の下端に設けられ前記筒状部材の内部に導かれた外光を前記筒状部材の外部に向けて反射させる反射鏡と、
を備えることを特徴とする採光装置。
【請求項２】
前記筒状部材は、熱伝導性が低い材料で形成されていることを特徴とする請求項１記載の採光装置。
【請求項３】
前記反射膜は、金属で形成されていることを特徴とする請求項１記載の採光装置。
【請求項４】
前記採光装置は、建物の断熱壁の内部で前記筒状部材の複数が鉛直方向に延在し水平方向に並べてられることで複数設けられている、
ことを特徴とする請求項１記載の採光装置。
【請求項５】
筒状部材と、
前記筒状部材の内面の全域に設けられた反射膜と、
前記筒状部材の延在方向に間隔をおいた複数箇所に前記筒状部材の延在方向と交差する方向に張設され前記筒状部材の内部空間を仕切る透明フィルムと、
を備えることを特徴とする採光装置構成用部材。
【請求項６】
前記筒状部材は熱伝導性が低い材料で形成されていることを特徴とする請求項５記載の採光装置構成用部材。
【請求項７】
前記熱伝導性が低い材料は合成樹脂であることを特徴とする請求項６記載の採光装置構成用部材。
【請求項８】
前記反射膜は、金属で形成されていることを特徴とする請求項５記載の採光装置構成用部材。
【請求項９】
前記金属はアルミであることを特徴とする請求項８記載の採光装置構成用部材。
【請求項１０】
前記筒状部材は、複数の筒体が同軸上で連結されることで構成され、前記透明フィルムは前記筒体が連結される部分に介在されていることを特徴とする請求項５記載の採光装置構成用部材。
【発明の詳細な説明】
【技術分野】
【０００１】
本発明は採光装置および採光装置構成用部材に関する。
【背景技術】
【０００２】
外光（太陽光）を建物の内部に導く採光装置は種々提案されている。
例えば、外光を採光プリズムで捕らえ、その捕らえた外光を建物の内部に設けられた筒状の光ダクトおよび室内配光板を介して室内に導く採光装置が提案されている（特許文献１参照）。
【特許文献１】特開平９−２９７２７８号公報
【発明の開示】
【発明が解決しようとする課題】
【０００３】
しかしながら、このような採光装置では、光ダクトの内部は空洞で採光プリズムから外光を導く箇所まで単に延在するため、建物に組み込んだ場合、光ダクトの内部で空気の対流が生じる。
そのため、冷房を必要とする夏季や、暖房を必要とする冬季では、建物の内部と外部との断熱性を維持する上で不利がある。例えば、夏季では、光ダクトの内部での空気の対流により建物の内部が暑くなり、冬季では、建物の内部が冷え込む不具合が生じる。
本発明はこのような事情に鑑みなされたものであり、その目的は、建物の断熱性を維持する上で有利な採光装置および採光装置構成用部材を提供することにある。
【課題を解決するための手段】
【０００４】
上述の目的を達成するため、本発明の採光装置は、筒状部材と、前記筒状部材の内面の全域に設けられた反射膜と、前記筒状部材の延在方向に間隔をおいた複数箇所に前記筒状部材の延在方向と交差する方向に張設され前記筒状部材の内部空間を仕切る透明フィルムと、前記筒状部材の上端を閉塞し外光を前記筒状部材の内部に導く集光レンズと、前記筒状部材の下端に設けられ前記筒状部材の内部に導かれた外光を前記筒状部材の外部に向けて反射させる反射鏡とを備えることを特徴とする。
また、本発明の採光装置構成用部材は、筒状部材と、前記筒状部材の内面の全域に設けられた反射膜と、前記筒状部材の延在方向に間隔をおいた複数箇所に前記筒状部材の延在方向と交差する方向に張設され前記筒状部材の内部空間を仕切る透明フィルムとを備えることを特徴とする。
【発明の効果】
【０００５】
本発明の採光装置は、筒状部材の内部に透明フィルムにより空気の対流が阻止された内部空間が形成されているため、筒状部材は外光を導く導光路として機能するとともに、複数の内部空間により断熱性が発揮される。
【発明を実施するための最良の形態】
【０００６】
次に本発明の実施の形態について図面を参照して説明する。
図１は実施の形態の採光装置１０が建物２に設けられた状態を示す説明図、図２は図１のＡＡ線断面図、図３は図１のＢＢ線断面図である。
採光装置１０は外光（太陽光）を建物の内部に導くためのものであり、図２に示すように、採光装置１０は、採光装置構成用部材１２と、集光レンズ１４と、反射鏡１６とを含んで構成されている。
採光装置構成用部材１２は、筒状部材１８と、反射膜２０と、透明フィルム２２とを備えている。
筒状部材１８は、本実施の形態では断熱性をより発揮できるように、熱伝導性が低い材料（断熱性を有する材料）から形成されている。このような材料として、熱伝導性が低い従来公知の様々な合成樹脂を採用することができる。なお、断熱性に加え難燃性を有する材料を使用するなど任意であり、建築資材に使用可能な従来公知の様々な材料を用いることができる。
本実施の形態では、図２に示すように、筒状部材１８は、複数の筒体１８０２が同軸上で連結されることで構成され、直線上を延在している。
【０００７】
反射膜２０は、筒状部材１８の内部で外光を導くもので、可視光の反射率の高い金属から形成され、筒状部材１８の内面の全域に設けられている。このような金属として例えばアルミが用いられる。反射膜２０は、例えば、筒状部材１８の内面にアルミが鏡面コーティングされることで形成され、あるいは、ポリエステルフィルムの表面にオームストロングの単位でアルミを蒸着させたものを筒状部材の内面に貼着したりすることで形成され、反射膜２０は、従来公知の様々の方法で形成可能である。
【０００８】
透明フィルム２２は、光の透過率（可視光の透過率）が高い材料で形成され、筒状部材１８の一定の長さ毎に筒状部材１８の延在方向と交差する方向に複数張設され、筒状部材１８の内部を複数の内部空間１８Ａに仕切っており、筒状部材１８の内部において長手方向における空気の対流を阻止する役割を果たしている。
本実施の形態では、透明フィルム２２は筒体１８０２が連結される部分に介在され、筒状部材１８の延在方向と直交する平面上を延在している。このように構成することで、透明フィルム２２が簡単に張設できるように図られている。なお、一定の長さ毎にとは、所定の長さ毎にということであり、例えば、長さの異なる２種類の筒体１８０２が５本ずつ組み合せて筒状部材１８が構成される場合、透明フィルム２２間の寸法は２つの異なった値をとることになる。
【０００９】
本実施の形態では、採光装置１０は建物２の断熱壁４に組み込まれている。
より詳細には、建物２は北側を向いた外壁４０１０を備えており、この外壁４０１０に面して建物２よりも大きい高さの別の不図示の建物が構築されており、建物２の外壁４０１０側には外光が照らされない状況となっている。
外壁４０１０は断熱壁４として構成され、断熱壁４は、建物外側に設けられた外壁材４００２と、室内側に設けられた内壁材４００４と、外壁材４００２と内壁材４００４との間に設けられた断熱材４００６と、空気層４００８などを含んで構成されている。
複数の筒状部材１８は、外壁材４００２と内壁材４００４との間の空間に水平方向に並べられて複数配置され、屋上から外光を導入すべき階（空間、部屋）の上部にわたって鉛直に延在している。
そして、筒状部材１８の外周と外壁材４００２および内壁材４００４との間には断熱材４００６が配設されている。なお、外壁材４００２としては例えばコンクリートが用いられ、内壁材４００４としては例えば石膏ボードが用いられ、断熱材４００６としては例えばグラスウール、ウレタンフォームなどが用いられる。複数の筒状部材１８は、透明フィルム２２により空気の対流が阻止された複数の内部空間１８Ａを有しているため、すなわち、互いに仕切られた複数の空気層を有しているため、グラスウール、ウレタンフォームなどとともに断熱材４００６の一部を構成することになる。
【００１０】
集光レンズ１４は、屋上に露出する筒状部材１８の上端に取着されて該上端を閉塞し雨や塵埃の筒状部材１８の内部への侵入を阻止すると共に、外光を筒状部材１８の内部に導くように構成されている。
反射鏡１６は、外光を導入すべき階（空間、部屋）の上部に位置する筒状部材１８の下端に設けられ、筒状部材１８の内部に導かれた外光を建物２の内部に向けて反射させるように構成されている。
【００１１】
次に採光装置１０の作用効果について説明する。
図１、図２に示すように、外光は、各集光レンズ１４で集光されることでそれぞれの筒状部材１８の内部に導かれ、反射膜２０によって反射されつつ複数の透明フィルム２２を通過して筒状部材１８の下端に進行し、反射鏡１６で反射され建物２の内部に導かれる。そして、外光が照らされない状況となっている建物２の北に面した所望の階（空間、部屋）に外光を取り入ることが可能となる。
また、筒状部材１８の内部に透明フィルム２２により空気の対流が阻止された複数の内部空間１８Ａが形成されているため、すなわち、対流が阻止された複数の空気層が位置しているため、筒状部材１８は断熱作用を発揮し、したがって、筒状部材１８は外光を導く導光路として機能すると同時に、グラスウールやウレタンフォームなどとともに断熱材４００６としても機能する。
すなわち、本発明の採光装置１０は、建物２の外壁や内壁にそれらの断熱性を損なうことなく配設でき、外光を建物の内部に導くことが可能となる。
特に、本実施の形態では、筒状部材１８は、熱伝導性が低い材料で形成されているので、建物２の外壁や内壁の断熱性を確保する上で有利となる。
【００１２】
なお、本実施の形態では、採光装置１０を、断熱壁４に組み込んだ場合について説明したが、建物の壁自体にそれほど断熱性が要求されない地域に本発明の採光装置１０を適用する場合、筒状部材１８を、熱伝導性が低い材料で形成する必要はない。ただし、この場合にも、筒状部材１８の内部に透明フィルム２２により空気の対流が阻止された複数の内部空間１８Ａが形成されているため、すなわち、対流が阻止された複数の空気層が位置しているため、筒状部材１８は複数の空気層により断熱機能を発揮し、断熱壁４を構成する部材として機能することになる。
また、採光装置構成用部材１２の使用方法は任意であり、例えば、建物の内部のある程度の光量の光を直下の地下室に導く場合などには、集光レンズ１４や反射鏡１６が省略される態様も考えられる。
また、筒状部材１８の長さ方向の中間部に１つの屈曲部や湾曲部を、あるいは複数の屈曲部や湾曲部を設けるなど任意であり、その場合には、その屈曲部や湾曲部に反射鏡を設けるようにしてもよく、また、建物の形状や配置場所によっては、筒状部材１８を直線上ではなく湾曲状に延在させるようにしてもよい。
【図面の簡単な説明】
【００１３】
【図１】実施の形態の採光装置１０が建物２に設けられた状態を示す説明図である。
【図２】図１のＡＡ線断面図である。
【図３】図１のＢＢ線断面図である。
【符号の説明】
【００１４】
１０……採光装置、１２……採光装置構成用部材、１４……集光レンズ、１６……反射鏡、１８……筒状部材、１８Ａ……内部空間、２０……反射膜、２２……透明フィルム。
【図１】
2007311033.tif 000003
【図２】
2007311033.tif 000004
【図３】
2007311033.tif 000005